(57)【要約】      （修正有）【課題】無線中継装置のリソースを有効に活用する方法を提供する。【解決手段】無線通信装置が無線中継装置を介して他の装置と通信を行う無線通信システムにおいて、無線通信装置と無線中継装置との通信品質を示す通信品質値を測定し、通信品質値の過去の傾向に基づき、通信品質の良否を判定するための閾値を決定し、通信品質値の現在値が閾値未満である間は、無線通信装置と他の装置間のコンテンツの伝送を阻止する。【選択図】図２
2015015654.tif 000002
【特許請求の範囲】
【請求項１】
無線通信装置が無線中継装置を介して他の装置と通信を行う無線通信システムにおいて用いられる通信制御方法であって、
前記無線通信装置と前記無線中継装置との通信品質を示す通信品質値を測定し、
前記通信品質値の過去の傾向に基づき、前記通信品質の良否を判定するための閾値を決定し、
前記通信品質値の現在値が前記閾値未満である間は、前記無線通信装置と前記他の装置間のコンテンツの伝送を阻止する、
通信制御方法。
【請求項２】
前記通信品質値の現在値が前記閾値未満である期間が所定の期間より長く継続した場合に、前記コンテンツの伝送を阻止する通信制御を中断する、
請求項１に記載の通信制御方法。
【請求項３】
前記通信品質値の現在値が閾値未満であり、前記通信品質値が減少傾向である場合に、前記コンテンツの伝送を阻止する通信制御を中断する、
請求項１又は請求項２に記載の通信制御方法。
【請求項４】
無線通信装置が無線中継装置を介して他の装置と通信を行う無線通信システムにおいて使用される通信制御装置であって、
前記無線通信装置が測定した前記無線通信装置と前記無線中継装置との通信品質を示す通信品質値の過去の傾向に基づいて決定された閾値と前記通信品質値の現在値とを比較する閾値判定の結果を得る手段と、
前記閾値判定の結果において、前記通信品質値の現在値が前記閾値未満である間は、前記無線通信装置と前記他の装置間のコンテンツの伝送を阻止する手段と、
を有する通信制御装置。
【請求項５】
無線通信装置との通信における通信品質を示す通信品質値を測定する受信部と、
前記通信品質値の過去の傾向に基づき、前記通信品質の良否を判定するための閾値を決定する閾値決定部と、
前記通信品質値の現在値と前記閾値とを比較する閾値判定を行う閾値判定部と、
前記閾値判定の結果を入力として受け付け前記閾値判定の結果において前記通信品質値の現在値が前記閾値未満である間コンテンツの伝送を阻止する通信制御を行う通信制御装置に対し、前記閾値判定部による前記閾値判定の結果を送信する送信部と、
を有する無線通信装置。
【発明の詳細な説明】
【技術分野】
【０００１】
本案は、通信制御方法、通信制御装置及び無線通信装置に関する。
【背景技術】
【０００２】
移動通信システムでは、無線基地局と携帯電話などの移動局とが送受信可能な範囲としてセルが形成される。さらに、複数のセルが組み合わせられて、通信可能な範囲が広いエリアをカバーする。このような通信システムでは、移動局は、移動に伴い通信する無線基地局を切り換えながら通信を継続する。以上のような通信システムの方式は、セルラー方式と呼ばれている。
【０００３】
現在はＷｉｄｅｂａｎｄ  Ｃｏｄｅ  Ｄｉｖｉｓｉｏｎ  Ｍｕｌｔｉｐｌｅ  Ａｃｃｅｓｓ（Ｗ−ＣＤＭＡ）やＣｏｄｅ  Ｄｉｖｉｓｉｏｎ  Ｍｕｌｔｉｐｌｅ  Ａｃｃｅｓｓ（ＣＤＭＡ）方式による第3世代移動通信方式のサービスが行われている。また、下り高
速伝送技術であるＨｉｇｈ  Ｓｐｅｅｄ  Ｄｏｗｎｌｉｎｋ  Ｐａｃｋｅｔ  Ａｃｃｅｓｓ（ＨＳＤＰＡ）と、上り高速伝送技術であるＨｉｇｈ  Ｓｐｅｅｄ  Ｕｐｌｉｎｋ  Ｐａｃｋｅｔ  Ａｃｃｅｓｓ（ＨＳＵＰＡ）が提案されている。また、これらを組み合わせたＨｉｇｈ  Ｓｐｅｅｄ  Ｐａｃｋｅｔ  Ａｃｃｅｓｓ（ＨＳＰＡ）やその発展系であるＨＳＰＡ＋などが提案されている。その一方で、より高速な通信を可能とする、次世代移動通信方式の検討が進められている。
【０００４】
３ｒｄ  Ｇｅｎｅｒａｔｉｏｎ  Ｐａｒｔｎｅｒｓｈｉｐ  Ｐｒｏｊｅｃｔ（３ＧＰＰ）においては、２０１０年頃からサービスが開始されているＬｏｎｇ  Ｔｅｒｍ  Ｅｖｏｌｕｔｉｏｎ（ＬＴＥ）の発展版である、ＬＴＥ―ａｄｖａｎｃｅｄが２０１５年頃のサービス開始を目標に検討が行われている（例えば、非特許文献１及び非特許文献２参照）。
【先行技術文献】
【非特許文献】
【０００５】
【非特許文献１】「スリージーピーピー  ティーアール２５．９１３  バージョン７．３．０（３ＧＰＰ  ＴＲ２５．９１３  Ｖ７．３．０）」、（仏国）、サードジェネレーションパートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ）、２００６年３月
【非特許文献２】「スリージーピーピー  ティーエス３６．９１３  バージョン８．０．１（３ＧＰＰ  ＴＳ３６．９１３  Ｖ８．０．１）」、（仏国）、サードジェネレーションパートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ）、２００９年３月
【発明の概要】
【発明が解決しようとする課題】
【０００６】
無線通信装置が基地局等の無線中継装置を介して通信する場合、無線通信装置と無線中継装置との距離や、無線通信装置と無線中継装置との間の建造物や自然物の配置等によって、無線通信装置の通信品質に変動が生じる場合がある。また、無線中継装置は同時に処理できる無線通信装置の数に上限がある。そのため、限られた無線中継装置のリソースを有効に活用することが望ましい。
【０００７】
ここで、通信品質の悪い無線通信装置が無線中継装置を介して他の装置とデータの伝送を行うと、限りある無線中継装置のリソースを有効に活用しているとは言いえない場合も
生じる。通信品質の悪い無線通信装置がデータの伝送を行うと、データの伝送完了までに時間がかかる。また、無線中継装置が処理できる無線通信装置の台数には制限がある。そのため、他の無線通信装置が無線中継装置を介して通信を行えない時間が長時間に及ぶ場合も生じ得るからである。
【０００８】
そこで、本案では無線中継装置のリソースを有効に活用する事を課題とする。
【課題を解決するための手段】
【０００９】
そこで、本案では上記課題を解決するため、無線通信装置が無線中継装置を介して他の装置と通信を行う無線通信システムにおける通信制御方法であって、無線通信装置と無線中継装置との通信品質を示す通信品質値を測定し、通信品質値の過去の傾向に基づき、通信品質の良否を判定するための閾値を決定し、通信品質値の現在値が閾値未満である間は、無線通信装置と他の装置間のデータの伝送を阻止する、通信制御方法を開示する。なお、本案で開示する通信制御方法は、通信制御装置あるいは無線通信装置としての側面から捉える事も可能である。
【発明の効果】
【００１０】
本案によれば、無線中継装置のリソースを有効に活用できる。
【図面の簡単な説明】
【００１１】
【図１】実施形態１の通信制御装置の構成を例示する図である。
【図２】実施形態１の通信制御装置が行う通信制御のフローを例示する図である。
【図３Ａ】実施形態１で開示する通信制御装置を用いた場合の、通信品質値の現在値の変動、通信品質値の過去の傾向に基づいて決定される閾値の変動、コンテンツの伝送を行っている期間を例示する図である。
【図３Ｂ】あらかじめデータベースに閾値を格納する方式による通信制御を行った場合の、通信品質値の現在値の変動、エリア毎に設定された閾値、コンテンツの伝送を行っている期間を例示する図である。
【図４】変形例１１の通信制御装置の構成を例示する図である。
【図５】変形例１１の通信制御装置の通信制御のフローを例示する図である。
【図６】変形例１２の通信制御装置の構成を例示する図である。
【図７】変形例１２の通信制御装置が行う通信制御フローを例示する図である。
【図８】変形例１３の通信制御装置の構成を例示する図である。
【図９】変形例１３の通信制御装置が行う通信制御フローを例示する図である。
【図１０】変形例１４の通信制御装置の構成を例示する図である。
【図１１】変形例１４の通信制御装置が行う通信制御フローを例示する図である。
【図１２】変形例１５の無線通信装置の構成を例示する図である。
【図１３Ａ】変形例１６の無線通信装置の構成を例示する図である。
【図１３Ｂ】変形例１６の無線通信装置において、タイマー部をＯＮ／ＯＦＦ制御部に接続する構成を例示する図である。
【図１４Ａ】変形例１７の無線通信装置の構成を例示する図である。
【図１４Ｂ】変形例１７の無線通信装置おいて、通信品質監視部をＯＮ／ＯＦＦ制御部に接続する構成を例示する図である。
【図１５Ａ】無線中継装置とサーバとの間に通信制御装置を設けた通信システムを例示する図である。
【図１５Ｂ】通信制御装置が無線中継装置内に組み込まれた通信システムを例示する図である。
【図１５Ｃ】通信制御装置がサーバ内に組み込まれた通信システムを例示する図である。
【図１５Ｄ】通信制御装置が無線通信装置内に組み込まれた通信システムを例示する図である。
【図１６Ａ】通信品質値の現在値が閾値未満である場合にコンテンツの伝送を阻止する通信制御を例示する図である。
【図１６Ｂ】タイマー処理を付加した通信制御を例示する図である。
【図１６Ｃ】通信品質を監視する処理を付加した通信制御を例示する図である。
【図１７】実施形態２の無線通信装置の構成を例示する図である。
【図１８】実施形態２の無線通信装置の通信制御のフローを例示する図である。
【図１９】変形例２１の無線通信装置の構成を例示する図である。
【図２０】変形例２１の無線通信装置の通信制御のフローを例示する図である。
【図２１】変形例２２の無線通信装置の構成を例示する図である。
【図２２】変形例２２の無線通信装置の通信制御のフローを例示する図である。
【発明を実施するための形態】
【００１２】
以下、図面に基づいて、本案で開示する各実施形態について説明する。以下の各実施形態の構成は例示であり、本案は以下で開示する実施形態の構成に限定されない。
【００１３】
＜＜実施形態１＞＞
開示の実施形態の一側面は、以下の通信制御装置として例示される。本通信制御装置は、通信品質に対する閾値判定の結果を得る。そして、閾値判定において、通信品質値の現在値が閾値未満である間は、本通信制御装置は無線通信装置とサーバ間のデータの伝送を阻止する。以下、サーバ等のように、サービスを提供する装置と無線通信装置との間で授受するデータをコンテンツと呼ぶ。サーバは他の装置の一例である。
【００１４】
実施形態１の閾値判定では、無線通信装置が測定した無線通信装置と無線中継装置との通信品質を示す通信品質値の過去の傾向に基づき、通信品質の良否を判定するために決定された閾値が用いられる。実施形態１で閾値判定とは、通信品質値の現在値と閾値とを比較する判定処理として例示される。
【００１５】
通信品質の良否を判定するための閾値としては、無線通信装置の通信品質において比較的良好な通信品質であると判定するための閾値が望ましい。通信品質値の現在値が閾値を超えていれば、コンテンツの伝送がスムーズに行われると考えられる。そのため、通信品質値の現在値が閾値を超えている場合には、無線通信装置がある程度の期間無線中継装置を介してコンテンツの授受を行っても、無線中継装置のリソースは有効に活用される可能性が高い。
【００１６】
ここで、無線通信装置とは無線で通信をする機能を有する装置をいう。例えば、携帯電話、スマートフォン、タブレット端末、Ｐｅｒｓｏｎａｌ  Ｄｉｇｉｔａｌ  Ａｓｓｉｓｔａｎｔ（ＰＤＡ）、モバイルルータ、ノートパソコン、パソコン等に通信機能を追加するデータ通信カードのようなモジュール、等に対し、本案で開示する通信制御方法を適用可能である。
【００１７】
無線中継装置とは、無線通信を中継する機能を有する装置をいう。例えば、携帯電話やＰｅｒｓｏｎａｌ  Ｈａｎｄｙ−Ｐｈｏｎｅ  Ｓｙｓｔｅｍ（ＰＨＳ）の基地局、無線ＬＡＮのアクセスポイント等に対し、本案で開示する通信制御方法を適用可能である。
【００１８】
無線通信装置が測定する通信品質値としては、例えば、Ｓｉｇｎａｌ  ｔｏ  Ｉｎｔｅｒｆｅｒｅｎｃｅ  Ｐｏｗｅｒ  Ｒａｔｉｏ（ＳＩＲ）を用いる事ができる。ＳＩＲは無線通信装置に内蔵された一般的な通信プログラムにより測定が可能である。ＳＩＲを測定する通信プログラムの詳細は省略する。
【００１９】
また、過去の通信品質値の傾向に基づいて、通信品質の良否を判定するための閾値として、例えば、過去の通信品質値の統計値を用いる事ができる。例えば、通信品質値としてＳＩＲを用い、閾値としてＳＩＲの平均値を用いる場合、閾値を決定する式として、以下の式が例示される。
【００２０】
【数１】
2015015654.tif 000003
【００２１】
式（１）は、過去の閾値と現在のＳＩＲとの重み平均によって現在の閾値を求める式となっている。式（１）のTHtは時刻tにおけるＳＩＲの閾値の例示である。式（１）のSIR
は無線通信装置で測定した、時刻tにおけるＳＩＲである。式（１）では、αが大きいほ
どTHtは時刻tにおけるSIRに近くなる。式（１）において、α=1のとき、THtは時刻tにお
けるSIRそのものとなる。
【００２２】
図１は、実施形態１の通信制御装置２１の構成を例示する図である。なお、図１では、実施形態１に関連する部分が記載されている。また、図１において、通信制御装置２１は無線中継装置２３とサーバ２４との間に位置する。ただし、通信制御装置２１が、無線中継装置２３、サーバ２４、あるいは無線通信装置内に組み込まれるような構成とすることも可能である。また、無線中継装置２３と通信制御装置２１とサーバ２４との間の通信方式には、特に限定は無い。例えば、無線中継装置２３と通信制御装置２１とサーバ２４とは、様々なネットワーク、例えば、有線のコアネットワーク、インターネット、Ｌｏｃａｌ  Ａｒｅａ  Ｎｅｔｗｏｒｋ（ＬＡＮ）、ＩｎｆｉｎｉＢａｎｄ、コンピュータメーカーによる専用バス、無線ＬＡＮ等の無線ネットワーク等で接続してもよい。図１では、実施形態１の通信制御装置２１の構成として、通信制御部１、バッファ部６が例示されている。
【００２３】
通信制御部１には、無線通信装置から閾値判定の結果が入力される。閾値判定の結果、通信品質値の現在値が閾値未満である間は、無線通信装置とサーバ２４間のコンテンツの伝送を阻止するよう通信制御部１はバッファ部６に指示をする。バッファ部６は、無線通信装置とサーバ２４とで通信されているコンテンツを一時的に蓄積する。通信制御部１は、閾値判定の結果を得る手段の例示である。また、通信制御部１からバッファ部６へのコンテンツの伝送を阻止する指示は、無線通信装置と他の装置間のコンテンツの伝送を阻止する手段の例示である。通信制御部１及びバッファ部６は、Ｃｅｎｔｒａｌ  Ｐｒｏｃｅｓｓｉｎｇ  Ｕｎｉｔ（ＣＰＵ）等のプロセッサが主記憶上のコンピュータプログラムを実行するものでよい。また、通信制御部１、バッファ部６は、デジタル回路、アナログ回路を含むハードウェアであってもよい。
【００２４】
なお、無線通信装置は例えば次のような処理を行う事により、閾値判定を行う。無線通信装置は通信品質を測定する。無線通信装置は、測定済みの過去の通信品質値の平均値を算出し、閾値とする。さらに、無線通信装置は、通信品質値の現在値と閾値とを比較し、比較の結果を通信制御装置２１の通信制御部１に送信する。ここで、過去の通信品質値の平均値は、通信品質値の過去の傾向に基づき、通信品質の良否を判定するための閾値の例示である。
【００２５】
図２は、実施形態１の通信制御装置２１が行う通信制御のフローを例示する図である。図２に沿って、実施形態１の通信制御装置２１が行う通信制御のフローを説明する。通信制御部１は無線通信装置から閾値判定の結果を受け取る（Ｓ１１）。通信品質値の現在値が閾値以上である場合、通信制御部１はコンテンツの伝送を阻止しない。通信品質値の現
在値が閾値未満である場合、通信制御部１は処理をＳ１３に進める（Ｓ１２）。通信制御部１は、コンテンツの伝送を阻止するようバッファ部６に指示をする（Ｓ１３）。
【００２６】
図３Ａは、実施形態１で開示する通信制御装置２１を用いた場合の、通信品質値の現在値の変動、通信品質値の過去の傾向に基づいて決定される閾値の変動、コンテンツの伝送を行っている期間を例示する図である。実施形態１の通信制御装置２１においては、図３Ａに示すように、通信品質値の過去の傾向に基づいて閾値が決定される。つまり、閾値が過去の実績を反映したものとなる。したがって、実施形態１の通信制御装置２１においては、無線通信装置の現在の通信品質が通信品質値の過去の傾向に基づいて判定される。
【００２７】
実施形態１の通信制御装置２１によれば、無線通信装置の通信品質の過去の状況に応じて通信を制御することができる。すなわち、通信品質が良い無線通信装置は、無線中継装置２３を介してコンテンツを伝送できる。通信品質が悪い無線通信装置は、通信制御装置２１によってコンテンツの伝送を阻止される。その結果、通信品質が良く、スムーズにコンテンツを伝送できる無線通信装置が優先的に無線中継装置２３のリソースを利用できる。つまり、実施形態１の通信制御装置２１によれば、無線中継装置２３のリソースを有効に活用できる。
【００２８】
＜比較例＞
上記の実施形態１では、通信品質値の過去の傾向に基づいて閾値が決定された。しかし、このような閾値の決定の方法の他に、例えば、通信が行われる領域に応じて閾値を決定する方法も考えられる。例えば、通信制御装置２１、サーバ２４その他の通信装置が、無線中継装置２３のサービスエリア内を一定の範囲のグリッドに分割し、各グリッドの閾値をあらかじめ決定する。各グリッドの閾値としては、各グリッドの品質情報から生成した累積分布関数（ＣＤＦ）によるＳＩＲの閾値が例示される。通信制御装置２１等は、決定した閾値を各グリッドと関連づけてデータベースに格納しておけばよい。通信制御装置２１が無線通信装置の通信品質値の現在値とデータベースに格納された閾値とを比較して閾値判定を行い、通信制御をする方法も考えられる。
【００２９】
図３Ｂは、あらかじめデータベースに閾値を格納する方式による通信制御を行った場合の、通信品質値の現在値の変動、グリッド毎に設定された閾値、コンテンツの伝送を行っている期間を例示する図である。図３Ｂで例示するように、この方式では、閾値は各グリッドの範囲内を平均化して決定したものであるため、同一グリッド内での通信品質の変動は閾値に反映されない。したがって、無線通信装置の過去の通信品質の変動に応じた通信制御を行うことは困難である。また、データベースを設置する必要から、通信制御システムの構成が複雑となりコスト面やメンテナンス面での負担も大きい。実施形態１の通信制御装置２１によれば、事前にデータベースを用意しなくてもよい。また、通信制御装置２１は、通信装置と通信制御装置２１との間の通信品質の変動に基づいて、現在の通信品質を判定するため、状況に応じた柔軟な通信制御が可能となる。
【００３０】
＜変形例１１＞
実施形態１の通信制御装置２１では、無線通信装置から閾値判定の結果が入力された。以下に説明する変形例１１の通信制御装置２１では、実施形態１の通信制御装置２１に閾値判定を実施する構成を付加する。そのため、変形例１１の通信制御装置２１には、無線通信装置から通信品質値の現在値が入力される。
【００３１】
図４は、変形例１１の通信制御装置２１の構成を例示する図である。なお、図４では、変形例１１に関連する部分が記載されている。また、図４において、通信制御装置２１は無線中継装置２３とサーバ２４との間に位置する。ただし、通信制御装置２１が、無線中継装置２３、サーバ２４、あるいは無線通信装置内に組み込まれるような構成とすること
も可能である。図４では、変形例１１の通信制御装置２１の構成として、通信制御部１、閾値決定部２、閾値判定部５、バッファ部６が例示されている。
【００３２】
閾値決定部２は、測定済みの通信品質値の過去の傾向に基づき、通信品質の良否を判定するための閾値を決定する。閾値判定部５は、通信品質値の現在値と閾値とを比較する閾値判定を行う。閾値決定部２及び閾値判定部５は、Ｃｅｎｔｒａｌ  Ｐｒｏｃｅｓｓｉｎｇ  Ｕｎｉｔ（ＣＰＵ）等のプロセッサが主記憶上のコンピュータプログラムを実行するものでよい。また、閾値決定部２及び閾値判定部５は、デジタル回路、アナログ回路を含むハードウェアであってもよい。変形例１１の他の構成要素は、実施形態１と同様である。そこで、変形例１１と同一の構成要素については、同一の符号を付し、その説明を省略する。
【００３３】
図４において、通信品質値の現在値は無線通信装置から閾値判定部５に直接入力されている。他の方法としては、通信品質値の現在値は、無線通信装置から閾値決定部２を経由して閾値判定部５に入力されるようにしてもよい。
【００３４】
図５は、変形例１１の通信制御装置２１の通信制御のフローを例示する図である。図５に沿って、変形例１１の通信制御装置２１が行う通信制御の処理の流れを説明する。閾値決定部２は無線通信装置から通信品質値を受け取る（Ｓ２１）。閾値決定部２は、通信品質値の過去の傾向に基づき、通信品質の良否を判定するための閾値を決定する（Ｓ２２）。閾値判定部５は、無線通信装置から入力される通信品質値の現在値と閾値決定部２から入力される閾値とを比較する閾値判定を行う。通信品質値の現在値が閾値以上である場合、通信制御部１は、コンテンツの伝送を阻止する通信制御を実施しない。通信品質値の現在値が閾値未満である場合、閾値判定部５は、処理をＳ２４に進める（Ｓ２３）。Ｓ２４の処理は、図２のＳ１３と同様であるため、説明を省略する。
【００３５】
変形例１１の通信制御装置２１は、閾値判定をする構成を有している。その結果、変形例１１の通信制御装置２１は、閾値判定を実行する仕組みを持たない無線通信装置に対しても、本案で開示する通信制御を実施できる。
【００３６】
＜変形例１２＞
実施形態１では、通信品質値の現在値が閾値未満である間はコンテンツの伝送を阻止していた。以下に説明する変形例１２では、実施形態１の通信制御装置２１に、タイマー処理を付加する構成を例示する。このタイマー処理は、コンテンツの伝送を阻止する通信制御を所定の期間以上継続させない。
【００３７】
図６は、変形例１２の通信制御装置２１の構成を例示する図である。なお、図６では、変形例１２に関連する部分が記載されている。また、図６において、通信制御装置２１は無線中継装置２３とサーバ２４との間に位置する。ただし、通信制御装置２１が、無線中継装置２３、サーバ２４、あるいは無線通信装置内に組み込まれるような構成とすることも可能である。図６では、変形例１２の通信制御装置２１の構成として、通信制御部１、タイマー部３、バッファ部６が例示されている。
【００３８】
タイマー部３は、所定の期間より長く継続して通信品質値の現在値が閾値未満であった場合、コンテンツの伝送を阻止する通信制御を中断するタイマー処理を行う。タイマー部３は、Ｃｅｎｔｒａｌ  Ｐｒｏｃｅｓｓｉｎｇ  Ｕｎｉｔ（ＣＰＵ）等のプロセッサが主記憶上のコンピュータプログラムを実行するものでよい。また、タイマー部３は、デジタル回路、アナログ回路を含むハードウェアであってもよい。変形例１２の他の構成要素は、実施形態１と同様である。そこで、実施形態１と同一の構成要素については、同一の符号を付し、その説明を省略する。
【００３９】
ここで、所定の期間は、これ以上コンテンツの伝送を阻止するとコンテンツの伝送に時間がかかり過ぎる期間として例示される。あるいは、所定の期間は、これ以上コンテンツの伝送を阻止するとコンテンツの伝送を完了できなくなる期間であってもよい。
【００４０】
図７は、変形例１２の通信制御装置２１が行う通信制御フローを例示する図である。図７に沿って、変形例１２の通信制御装置２１の処理について説明する。タイマー部３は、タイマー値ｔを０に初期化する（Ｓ３１）。通信制御部１は無線通信装置から閾値判定の結果を受け取る（Ｓ３２）。通信品質値の現在値が閾値以上である場合は、通信制御部１はコンテンツの伝送を阻止しない。通信品質値の現在値が閾値未満である場合は、通信制御部１は、処理をＳ３４に進める（Ｓ３３）。通信制御部１は、コンテンツの伝送を阻止するようバッファ部６に指示をする（Ｓ３４）。タイマー部３は、タイマー値ｔをインクリメントする（Ｓ３５）。現在のタイマー値ｔが所定の期間Ｔｏｆｆ内である場合、タイマー部３は、コンテンツの伝送を阻止する通信制御を中断しない。現在のタイマー値ｔが所定の期間Ｔｏｆｆを超えた場合、タイマー部３は処理をＳ３７に進める（Ｓ３６）。タイマー部３は、通信制御部１に対しコンテンツの伝送を阻止する通信制御を中断するよう指示をする。その結果、通信制御部１は、コンテンツの伝送を阻止するようバッファ部６に指示をする。（Ｓ３６）。
【００４１】
変形例１２の通信制御装置２１は、コンテンツの伝送を阻止する期間が所定の期間以上継続しないタイマー処理を行う。したがって、変形例１２の通信制御装置２１は、コンテンツの伝送のタイムアウトを避ける事ができる。その結果、変形例１２の通信制御装置２１は、コンテンツの伝送を完了できない事象を改善できる。
【００４２】
＜変形例１３＞
変形例１２の通信制御装置２１では、無線通信装置から閾値判定の結果が入力された。以下に説明する変形例１３の通信制御装置２１は、変形例１２の通信制御装置２１に閾値判定の処理を付加する構成を例示する。そのため、変形例１３の通信制御装置２１には、無線通信装置から通信品質値の現在値が入力される。
【００４３】
図８は、変形例１３の通信制御装置２１の構成を例示する図である。なお、図８では、変形例１３に関連する部分が記載されている。また、図８において、通信制御装置２１は無線中継装置２３とサーバ２４との間に位置する。ただし、通信制御装置２１は、無線中継装置２３、サーバ２４、あるいは無線通信装置内に組み込まれるような構成とすることも可能である。図８では、変形例１３の通信制御装置２１の構成として、通信制御部１、閾値決定部２、タイマー部３、閾値判定部５、バッファ部６が例示されている。変形例１３の各構成要素は、変形例１１及び変形例１２と同様である。そこで、変形例１１及び変形例１２と同一の構成要素については、同一の符号を付し、その説明を省略する。
【００４４】
図８において、通信品質値の現在値は無線通信装置から閾値判定部５に直接入力されている。しかし、通信品質値の現在値は、無線通信装置から閾値決定部２を経由して閾値判定部５に入力されるようにしてもよい。
【００４５】
図９は、変形例１３の通信制御装置２１が行う通信制御フローを例示する図である。図９に沿って、変形例１３の通信制御の処理の流れを説明する。タイマー部３は、タイマー値ｔを０に初期化する（Ｓ４１）。閾値決定部２は無線通信装置から通信品質値を受け取る（Ｓ４２）。閾値決定部２は、通信品質値の過去の傾向に基づき、通信品質の良否を判定するための閾値を決定する（Ｓ４３）。閾値判定部５は、無線通信装置から入力される通信品質値の現在値と、閾値決定部２から入力される閾値とを比較する閾値判定を行う（Ｓ４４）。閾値判定を行って以降の、Ｓ４４〜Ｓ４８の処理は、図７のＳ３３〜Ｓ３７と
同様であるので、その詳細は省略する。
【００４６】
変形例１３の通信制御装置２１は、閾値判定をする構成を有している。その結果、変形例１３の通信制御装置２１は、閾値判定を実行する仕組みを持たない無線通信装置に対しても、変形例１２の通信制御を実施できる。
【００４７】
＜変形例１４＞
実施形態１の通信制御装置２１は、通信品質値の現在値が閾値未満であれば、コンテンツの伝送を阻止する。以下に説明する変形例１４の通信制御装置２１は、実施形態１の通信制御装置２１に通信品質を監視する処理を付加する構成を例示する。通信品質を監視する処理は、閾値判定を行うと所定の期間以上コンテンツが阻止されると予測される場合に、コンテンツの伝送を阻止する制御を抑制する。
【００４８】
図１０は、変形例１４の通信制御装置２１の構成を例示する図である。なお、図１０では、変形例１４に関連する部分が記載されている。また、図１０において、通信制御装置２１は無線中継装置２３とサーバ２４との間に位置する。ただし、通信制御装置２１は、無線中継装置２３、サーバ２４、あるいは無線通信装置内に組み込まれるような構成とすることも可能である。図１０では、変形例１４の通信制御装置２１の構成として、通信制御部１、閾値決定部２、通信品質監視部４、閾値判定部５、バッファ部６が例示されている。
【００４９】
通信品質監視部４は、無線通信装置の通信品質を監視する。閾値判定を行うと所定の期間以上コンテンツの伝送が阻止されると予測される場合は、通信品質監視部４は通信制御部１に対し、コンテンツの伝送を阻止する通信制御を中断するよう指示をする。通信品質監視部４は、Ｃｅｎｔｒａｌ  Ｐｒｏｃｅｓｓｉｎｇ  Ｕｎｉｔ（ＣＰＵ）等のプロセッサが主記憶上のコンピュータプログラムを実行するものでよい。また、通信品質監視部４は、デジタル回路、アナログ回路を含むハードウェアであってもよい。変形例１４の他の構成要素は、変形例１１と同様である。そこで、変形例１１と同一の構成要素については、同一の符号を付し、その説明を省略する。
【００５０】
閾値判定を行うと所定の期間以上コンテンツの伝送が阻止されると予測される場合としては、例えば、通信品質値の現在値が閾値未満であり、通信品質値が減少傾向である場合が例示される。
【００５１】
通信品質を監視する方法は、通信品質値と通信品質値を測定した時刻とを対応付けて管理する方法が例示される。あるいは、通信品質を監視する方法は、通信品質値を時間で微分した値が連続して負である期間の長さを管理する、等の方法であってもよい。
【００５２】
図１０において、通信品質値の現在値は無線通信装置から閾値判定部５に直接入力されている。しかし、通信品質値の現在値は、無線通信装置から通信品質監視部４、閾値決定部２を経由して閾値判定部５に入力されるようにしてもよい。
【００５３】
図１１は、変形例１４の通信制御装置２１が行う通信制御フローを例示する図である。図１１に沿って、変形例１４の通信制御の処理の流れを説明する。通信品質監視部４は無線通信装置から通信品質値の現在値を受け取る（Ｓ５１）。閾値決定部２は、通信品質値の過去の傾向に基づき、通信品質の良否を判定するための閾値を決定する（Ｓ５２）。閾値判定部５は、無線通信装置から入力される通信品質値の現在値と、閾値決定部２から入力される閾値とを比較する閾値判定を行う。通信品質値の現在値が閾値以上である場合、通信制御部１はコンテンツの伝送を阻止しない。通信品質値の現在値が閾値未満である場合、閾値判定部５は処理をＳ５４に進める（Ｓ５３）。通信品質監視部４は、閾値判定を
行うと所定の期間以上コンテンツの伝送が阻止されると予測されるか判定する。閾値判定を行うと所定の期間以上コンテンツの伝送が阻止されると予測される場合、通信制御部１はコンテンツの伝送を阻止しない。そうでない場合、通信品質監視部４は処理をＳ５５に進める（Ｓ５４）。通信制御部１は、コンテンツの伝送を阻止するようバッファ部６に指示をする（Ｓ５５）。
【００５４】
変形例１４の通信制御装置２１は、閾値判定を行うと所定の期間以上コンテンツの伝送が阻止されると予測される場合にコンテンツの伝送を阻止しない。その結果、変形例１４の通信制御装置２１は、コンテンツの伝送が始まらない事象を改善できる。
【００５５】
＜変形例１５＞
変形例１１の通信制御装置２１は、通信制御装置２１の外部から入力される閾値判定の結果に基づいて通信制御を行った。以下に説明する変形例１５では、閾値判定及び通信制御を実施する無線通信装置を例示する。
【００５６】
図１２は、変形例１５の無線通信装置２２の構成を例示する図である。なお、図１２では、変形例１５に関連する部分が記載されている。図１２では、変形例１５の無線通信装置２２の構成として、変形例１１の通信制御装置２１、送信部１６、受信部１７、が例示されている。また、図１２では、変形例１１の通信制御装置２１の構成として、ＯＮ／ＯＦＦ制御部１１、閾値決定部２、ＯＮ／ＯＦＦ判定部１５、が例示されている。
【００５７】
ＯＮ／ＯＦＦ制御部１１は上述した通信制御部１の例示である。ＯＮ／ＯＦＦ判定部１５は上述した閾値判定部５の例示である。送信部１６は、無線通信装置２２で実行した閾値判定の結果を通信制御装置２１に対して送信する。受信部１７は、無線通信装置２２と無線中継装置２３との通信品質を示す通信品質値を測定する。送信部１６及び受信部１７は、Ｃｅｎｔｒａｌ  Ｐｒｏｃｅｓｓｉｎｇ  Ｕｎｉｔ（ＣＰＵ）等のプロセッサが主記憶上のコンピュータプログラムを実行するものでよい。また、送信部１６及び受信部１７は、デジタル回路、アナログ回路を含むハードウェアであってもよい。変形例１５の他の構成要素は、変形例１１と同様である。そこで、変形例１１と同一の構成要素については、同一の符号を付し、その説明を省略する。
【００５８】
図１２において、通信品質値の現在値は受信部１７からＯＮ／ＯＦＦ判定部１５に直接入力されている。しかし、通信品質値の現在値は、受信部１７から閾値決定部２を経由してＯＮ／ＯＦＦ判定部１５に入力するようにしてもよい。
【００５９】
図１２において、ＯＮ／ＯＦＦ制御部１１は送信部１６を介してコンテンツの伝送の阻止をサーバ（図示を省略）に通知している。しかし、ＯＮ／ＯＦＦ制御部１１から送信部１６又は受信部１７に対してコンテンツの伝送を阻止するよう制御する事も可能である。
【００６０】
受信部１７が測定した通信品質値を、閾値計算部１２及びＯＮ／ＯＦＦ判定部１５が入力として受け付けて以降の変形例１５の通信制御の処理の流れは、変形例１１と同様である。
【００６１】
変形例１５の無線通信装置２２は、通信制御を行う仕組みを有している。その結果、変形例１５の無線通信装置２２は、無線中継装置２３又はサーバ２４内に通信制御装置２１が設置されていなくても、本案で開示する通信制御を実施できる。
【００６２】
＜変形例１６＞
変形例１３の通信制御装置２１は、通信制御装置２１の外部から入力される閾値判定の結果に基づいて通信制御を行った。以下に説明する変形例１６では、閾値判定、タイマー
処理、及び通信制御を実施する無線通信装置２２を例示する。
【００６３】
図１３Ａは、変形例１６の無線通信装置２２の構成を例示する図である。なお、図１３Ａでは、変形例１６に関連する部分が記載されている。図１３Ａでは、変形例１６の無線通信装置２２の構成として、変形例１３の通信制御装置２１、送信部１６、受信部１７、が例示されている。また、図１３Ａでは、変形例１３の通信制御装置２１の構成として、ＯＮ／ＯＦＦ制御部１１、閾値決定部２、タイマー部３、ＯＮ／ＯＦＦ判定部１５、が例示されている。変形例１６の各構成要素は、変形例１３又は変形例１５と同様である。そこで、変形例１３又は変形例１５と同一の構成要素については、同一の符号を付し、その説明を省略する。
【００６４】
図１３Ａにおいて、通信品質値の現在値は受信部１７からＯＮ／ＯＦＦ判定部１５に直接入力されている。しかし、通信品質値の現在値は、受信部１７から閾値決定部２を経由してＯＮ／ＯＦＦ判定部１５に入力されるようにしてもよい。
【００６５】
図１３Ａにおいて、ＯＮ／ＯＦＦ制御部１１は送信部１６を介してコンテンツの伝送の阻止をサーバ（図示を省略）に通知している。しかし、ＯＮ／ＯＦＦ制御部１１から送信部１６又は受信部１７に対してコンテンツの伝送を阻止するよう制御する事も可能である。
【００６６】
図１３Ａにおいて、タイマー部３はＯＮ／ＯＦＦ制御部１１に接続されている。しかし、タイマー部３によるタイマー処理はこの構成に限定されない。例えば、図１３Ｂに例示するように、タイマー部３はＯＮ／ＯＦＦ判定部１５に接続する構成も可能である。図１３Ｂに例示する構成の場合、タイマー部３がコンテンツの伝送を阻止する通信制御を中断する処理は、例えば、次の方法で例示される。タイマー部３はＯＮ／ＯＦＦ判定部１５に対して、通信品質値の現在値が閾値以上とする閾値判定の結果を出力するよう指示する。その結果、閾値判定において現在の通信品質値が閾値以上となっているので、ＯＮ／ＯＦＦ制御部１１は、コンテンツの伝送を阻止する通信制御を中断する。
【００６７】
受信部１７が測定した通信品質値を閾値計算部１２及びＯＮ／ＯＦＦ判定部１５が入力として受け付けて以降の変形例１６の通信制御の処理の流れは、変形例１３と同様である。
【００６８】
変形例１６の無線通信装置２２は、コンテンツの伝送を阻止する期間を所定の期間以上継続させないタイマー処理を行う。したがって、変形例１６の無線通信装置２２は、コンテンツの伝送のタイムアウトを避ける事ができる。その結果、変形例１６の無線通信装置２２は、コンテンツの伝送を完了できない事象を改善できる。
【００６９】
＜変形例１７＞
変形例１４の通信制御装置２１では、通信制御装置２１の外部から入力される閾値判定の結果に基づいて通信制御を行った。以下に説明する変形例１７では、閾値判定、通信品質監視、及び通信制御を実施する無線通信装置２２を例示する。
【００７０】
図１４Ａは、変形例１７の無線通信装置２２の構成を例示する図である。なお、図１４Ａでは、変形例１７に関連する部分が記載されている。図１４Ａでは、変形例１７の無線通信装置２２の構成として、変形例１４の通信制御装置２１、送信部１６、受信部１７、が例示されている。また、図１４Ａでは、変形例１４の通信制御装置２１の構成として、ＯＮ／ＯＦＦ制御部１１、閾値決定部２、通信品質監視部４、ＯＮ／ＯＦＦ判定部１５、が例示されている。変形例１７の各構成要素は、変形例１４又は変形例１５と同様である。そこで、変形例１４又は変形例１５と同一の構成要素については、同一の符号を付し、
その説明を省略する。
【００７１】
図１４Ａにおいて、通信品質値の現在値は受信部１７からＯＮ／ＯＦＦ判定部１５に直接入力されている。しかし、通信品質値の現在値は、受信部１７から閾値決定部２を経由してＯＮ／ＯＦＦ判定部１５に入力するようにしてもよい。
【００７２】
図１４Ａにおいて、ＯＮ／ＯＦＦ制御部１１は送信部１６を介してコンテンツの伝送の阻止をサーバ（図示を省略）に通知できる。しかし、ＯＮ／ＯＦＦ制御部１１が送信部１６又は受信部１７を制御する事でコンテンツの伝送を阻止する事も可能である。
【００７３】
図１４Ａにおいて、通信品質監視部４はＯＮ／ＯＦＦ制御部１１に接続されている。しかし、通信品質監視部４による通信品質の監視はこの構成に限定されない。例えば、図１４Ｂに例示するように、通信品質監視部４をＯＮ／ＯＦＦ判定部１５に接続する構成も可能である。図１４Ｂに例示する構成の場合、通信品質監視部４がコンテンツの伝送を阻止する通信制御を中断する処理は、例えば、次の方法で例示される。通信品質監視部４はＯＮ／ＯＦＦ判定部１５に対して、通信品質値の現在値が閾値以上とする閾値判定の結果を出力するよう指示する。その結果、閾値判定において現在の通信品質値が閾値以上となっているので、ＯＮ／ＯＦＦ制御部１１は、コンテンツの伝送を阻止する通信制御を中断する。
【００７４】
受信部１７が測定した通信品質値を、閾値計算部１２、通信品質監視部４、ＯＮ／ＯＦＦ判定部１５が入力として受け付けて以降の変形例１７の通信制御の処理の流れは、変形例１４と同様である。
【００７５】
変形例１７の無線通信装置２２は、閾値判定を行うと所定の期間以上コンテンツの伝送が阻止されると予測される場合にはコンテンツの伝送を阻止しない。その結果、変形例１７の無線通信装置２２は、コンテンツの伝送が始まらない事象を改善できる。
【００７６】
＜適用例１＞
図１５Ａに、実施形態１、変形例１１〜１７に例示した通信制御装置２１の通信システムへの適用例を示す。図１５Ａは、無線中継装置２３とサーバ２４との間に通信制御装置２１を設けた通信システムを例示する図である。図１５Ａでは、無線中継装置２３、通信制御装置２１、サーバ２４の間はコアネットワークＮ１で接続されている。ただし、無線中継装置２３、通信制御装置２１、サーバ２４との間の接続は、コアネットワークＮ１に限定されない。無線中継装置２３、通信制御装置２１、サーバ２４との間の接続は、ＬＡＮで接続しても良いし、コンピュータのバスで接続してもよい。図１５Ａの通信システムの場合、通信制御装置２１は典型的にはプロキシサーバである。通信制御装置２１は、サーバ２４の通信先となる無線通信装置２２を識別する情報と閾値判定の結果を保持すればよい。ただし、通信制御装置２１は、無線通信装置２２を識別する情報と閾値を保持してもよい。そして、通信制御装置２１は、無線通信装置２２宛のパケットの送受信毎に通信品質値の現在値が閾値以上であるか判定してもよい。通信制御装置２１は、例えば、ＯＳＩ参照モデルのアプリケーション層において、コアネットワークＮ１のパケットを遮断すればよい。例えば、通信制御装置２１は、サーバ２４と通信をしている無線通信装置２２のＩＰアドレスとポート番号の組み合わせとともに、無線通信装置２２の閾値判定の結果を保持すればよい。そして、ＩＰアドレスとポート番号によって特定される無線通信装置２２の通信品質値の現在値が閾値未満となったとき、送信先又は送信元がその無線通信装置２２となっている通信を遮断すればよい。ここで、ＩＰアドレスとポート番号の組み合わせは、無線通信装置２２を識別する情報の例示である。ただし、図１５Ａの通信システムで、ＯＳＩ参照モデルのネットワーク層で上記制御を行ってもよい。つまり、通信制御装置２１は、サーバ２４と通信をしている無線通信装置２２のＩＰアドレスとともに、無
線通信装置２２の閾値判定の結果を保持すればよい。そして、ＩＰアドレスによって特定される無線通信装置２２の通信品質値の現在値が閾値未満となったとき、そのＩＰアドレスを送信先または送信元とする通信を遮断すればよい。ここで、ＩＰアドレスは、無線通信装置２２を識別する情報の例示である。なお、以上で説明した通信制御は、無線中継装置２３と無線通信装置２２との間に通信制御装置２１を設けた通信システムにも適用可能である。
【００７７】
＜適用例２＞
図１５Ｂは、通信制御装置２１が無線中継装置２３内に組み込まれた通信システムを例示する図である。通信制御装置２１と無線中継装置２３は、例えば、ＬＡＮ、コンピュータのバス、コンピュータメーカーの専用ネットワーク等のネットワークＮ２で接続される。通信制御装置２１とサーバ２４は、例えば、コアネットワークＮ１で接続される。通信制御装置２１は、例えば、無線通信装置２２の契約者固有ＩＤと閾値判定の結果を保持すればよい。契約者固有ＩＤによって特定される無線通信装置２２の通信品質値の現在値が閾値未満となったとき、送信先又は送信元がその無線通信装置２２となっている通信を遮断すればよい。契約者固有ＩＤは、無線通信装置２２を識別する情報の例示である。ただし、契約者固有ＩＤに変えて無線通信装置２２の端末識別情報を用いてもよい。端末識別情報は、セル領域で基地局等の無線中継装置２３が、携帯電話等の無線通信装置２２をユニークに識別する情報である。無線通信装置２２と無線中継装置２３がＩＰネットワークを形成する場合には、通信制御装置２１は、無線通信装置２２のＩＰアドレスと閾値判定の結果を保持してもよい。この場合、通信制御装置２１は、上述したネットワーク層での通信制御を実施すればよい。
【００７８】
＜適用例３＞
図１５Ｃは、通信制御装置２１がサーバ２４内に組み込まれた通信システムを例示する図である。通信制御装置２１とサーバ２４は、例えば、コンピュータのバスで接続される。または、通信制御装置２１は、コンピュータプログラムとしてサーバ２４にインストールされてもよい。通信制御２１は、上述したアプリケーション層での通信制御、あるいは、ネットワーク層での通信制御を実施可能である。
【００７９】
＜適用例４＞
図１５Ｄは、通信制御装置２１が無線通信装置２２内に組み込まれた通信システムを例示する図である。通信制御装置２１と無線通信装置２２は、例えば、コンピュータのバスで接続される。あるいは、通信制御装置２１は、コンピュータプログラムとして無線通信装置２２にインストールされてもよい。通信制御装置２１を無線通信装置２２に組み込んだ場合、通信制御装置２１は、例えば、サーバのＩＰアドレスとポート番号の組み合わせとともに、無線通信装置２２の閾値判定の結果を保持すればよい。この場合、通信制御装置２１は、上述したアプリケーション層での通信制御を実施すればよい。また、通信制御装置２１は、例えば、サーバ２４のＩＰアドレスとともに、無線通信装置２２の閾値判定の結果を保持してもよい。この場合、通信制御装置２１は、上述したネットワーク層での通信制御を実施すればよい。また、通信制御装置２１は、閾値判定の結果を保持してもよい。この場合、無線通信装置２２の通信品質値の現在値が閾値未満の間、通信制御装置２１は、無線通信装置２２のコンテンツの伝送を遮断すればよい。通信制御装置２１は、このコンテンツの伝送の遮断を、アプリケーション層でもネットワーク層でも実施可能である。
【００８０】
＜以上で開示した通信制御の比較＞
ここで、以上で開示した各実施形態及び変形例における通信制御装置２１の通信制御処理を比較する。図１６Ａは、通信品質値の現在値が閾値未満である場合にコンテンツの伝送を阻止する通信制御を例示する図である。この通信制御を行う実施形態として、上記の
記の実施形態１、変形例１１、変形例１５、が挙げられる。図１６Ｂは、タイマー処理を付加した通信制御を例示する図である。タイマー処理を付加した実施例として、上記の変形例１２、変形例１３、変形例１６、が挙げられる。タイマー処理を付加した通信制御装置２１は、コンテンツの伝送を所定の期間より長く阻止しない。その結果、図１６Ｂでは、図１６Ａの場合よりもコンテンツの伝送を阻止している期間が短縮されている。図１６Ｃは、通信品質を監視する処理を付加した通信制御を例示する図である。通信品質を監視する処理を付加した実施例として、上記の変形例１４、変形例１７、が挙げられる。図１６Ｃでは、閾値判定を行うと所定の期間以上コンテンツの伝送が阻止されると予測される場合にはコンテンツの伝送を阻止しない。その結果、図１６Ａ又は図１６Ｂではコンテンツの伝送が阻止されている期間も、図１６Ｃで例示する通信制御ではコンテンツの伝送が行われている。
【００８１】
＜＜実施形態２＞＞
実施形態１では、通信制御に必要な情報を得て、通信制御を実施する通信制御装置２１が例示された。実施形態２では、閾値判定の結果を通信制御装置に送信する無線通信装置２２を例示する。実施形態２の無線通信装置２２から閾値判定の結果を受け取る通信制御装置は、例えば、上記実施形態１の通信制御装置２１が考えられる。
【００８２】
図１７は、実施形態２の無線通信装置２２の構成を例示する図である。なお、図１７では、実施形態２に関連する部分が記載されている。図１７では、実施形態２の無線通信装置２２の構成として、閾値決定部２、ＯＮ／ＯＦＦ判定部１５、送信部１６、受信部１７、が例示されている。実施形態２の各構成要素は、変形例１５と同様である。そこで、変形例１５と同一の構成要素については、同一の符号を付し、その説明を省略する。
【００８３】
図１７において、通信品質値の現在値は受信部１７からＯＮ／ＯＦＦ判定部１５に直接入力されている。ただし、通信品質値の現在値は、受信部１７から閾値決定部２を経由してＯＮ／ＯＦＦ判定部１５に入力されるようにしてもよい。
【００８４】
図１８は、実施形態２の無線通信装置２２の通信制御のフローを例示する図である。図１８に沿って、実施形態２の通信制御の処理の流れを説明する。受信部１７は無線通信装置２２の通信品質値を測定する（Ｓ６１）。閾値決定部２は、通信品質値の過去の傾向に基づき、通信品質の良否を判定するための閾値を決定する（Ｓ６２）。ＯＮ／ＯＦＦ判定部１５は、受信部１７で測定した通信品質値の現在値と閾値決定部２で決定した閾値とを比較し、閾値判定を行う（Ｓ６３）。送信部１６は、ＯＮ／ＯＦＦ判定部１５による閾値判定の結果を通信制御装置に対して送信する（Ｓ６４）。
【００８５】
実施形態２の無線通信装置２２は、閾値判定の結果を通信制御装置に送信する機能を有する。その結果、実施形態２の無線通信装置２２は、本案で開示する通信制御を通信制御装置にさせる事ができる。
【００８６】
＜変形例２１＞
実施形態２の無線通信装置２２は、閾値判定の結果をそのまま通信制御装置に送信していた。以下に説明する変形例２１の無線通信装置２２は、所定の期間以上継続して通信品質値の現在値が閾値未満である場合、通信品質値の現在値は閾値以上である事を示す閾値判定の結果を通信制御装置に送信する。
【００８７】
図１９は、変形例２１の無線通信装置２２の構成を例示する図である。なお、図１９では、変形例２１に関連する部分が記載されている。図１９では、変形例２１の無線通信装置２２の構成として、閾値決定部２、タイマー部３、ＯＮ／ＯＦＦ判定部１５、送信部１６、受信部１７、が例示されている。タイマー部３は、所定の期間より長く継続して通信
品質値の現在値が閾値未満であった場合、コンテンツの伝送を阻止する通信制御を中断するタイマー処理を行う。変形例２１の他の構成要素は、実施形態２と同様である。そこで、実施形態２と同一の構成要素については、同一の符号を付し、その説明を省略する。
【００８８】
図１９において、通信品質値の現在値は受信部１７からＯＮ／ＯＦＦ判定部１５に直接入力されている。ただし、通信品質値の現在値は、受信部１７から閾値決定部２を経由してＯＮ／ＯＦＦ判定部１５に入力するようにしてもよい。
【００８９】
図２０は、変形例２１の無線通信装置２２の通信制御のフローを例示する図である。図２０に沿って、変形例２１の通信制御の処理の流れを説明する。タイマー部３は、タイマー値ｔを０に初期化する（Ｓ７１）。受信部１７は通信品質値を測定する（Ｓ７２）。閾値決定部２は、通信品質値の過去の傾向に基づき、通信品質の良否を判定するための閾値を決定する（Ｓ７３）。ＯＮ／ＯＦＦ判定部１５は、通信品質値の現在値と閾値とを比較する閾値判定を行う。通信品質値の現在値が閾値以上である場合、ＯＮ／ＯＦＦ判定部１５は処理をＳ７８に進める。通信品質値の現在値が閾値未満の場合、ＯＮ／ＯＦＦ判定部１５は処理をＳ７５に進める（Ｓ７４）。タイマー部３はタイマー値ｔをインクリメントする（Ｓ７５）。現在のタイマー値ｔが所定の期間Ｔｏｆｆ内である場合、タイマー部３は処理をＳ７８に進める。現在のタイマー値ｔが所定の期間Ｔｏｆｆを超えた場合、タイマー部３は処理をＳ７７に進める（Ｓ７６）。タイマー部３は、通信品質値の現在値が閾値以上である事を示す閾値判定の結果を出力するようＯＮ／ＯＦＦ判定部１５に指示する（Ｓ７７）。送信部１６は、閾値判定の結果を通信制御装置に対して送信する（Ｓ７８）。
【００９０】
変形例２１の無線通信装置２２は、所定の期間以上継続して通信品質値の現在値が閾値未満である場合、通信品質値の現在値は閾値以上である事を示す閾値判定の結果を通信制御装置に送信する。通信品質値の現在値が閾値以上であれば、通信制御装置はコンテンツの伝送を阻止しない。その結果、変形例２１の無線通信装置２２は、コンテンツの伝送を完了できない事象を改善できる。
【００９１】
＜変形例２２＞
実施形態２の無線通信装置２２は、通信品質を監視する構成を有していない。以下に説明する変形例２２の無線通信装置２２は、実施形態２の無線通信装置２２に通信品質を監視する処理を付加する構成を例示する。
【００９２】
図２１は、変形例２２の無線通信装置２２の構成を例示する図である。なお、図２１では、変形例２２に関連する部分が記載されている。図２１では、変形例２２の無線通信装置２２の構成として、閾値決定部２、通信品質監視部４、ＯＮ／ＯＦＦ判定部１５、送信部１６、受信部１７、が例示されている。変形例２２の各構成要素は、変形例１４又は実施形態２と同様である。そこで、変形例１４又は実施形態２と同一の構成要素については、同一の符号を付し、その説明を省略する。
【００９３】
図２１において、通信品質値の現在値は受信部１７からＯＮ／ＯＦＦ判定部１５に直接入力されている。ただし、通信品質値の現在値は、受信部１７から閾値決定部２又は通信品質監視部４を経由して入力してもよい。
【００９４】
通信品質監視部４は無線通信装置２２の通信品質を監視している。通信品質が悪く閾値判定を行うと所定の期間以上コンテンツの伝送が阻止されるような状態であると予測される場合は、通信品質監視部４はＯＮ／ＯＦＦ判定部１５に対し、通信品質の現在値が閾値以上であることを示す閾値判定の結果を出力するよう指示をする。
【００９５】
図２２は、変形例２２の無線通信装置２２の通信制御のフローを例示する図である。図２２に沿って、変形例２２の通信制御の処理の流れを説明する。受信部１７は、通信品質値を測定する（Ｓ８１）。閾値決定部２は、通信品質値の過去の傾向に基づき、通信品質の良否を判定するための閾値を決定する（Ｓ８２）。ＯＮ／ＯＦＦ判定部１５は、閾値判定を実施する。通信品質値の現在値が閾値以上の場合、ＯＮ／ＯＦＦ判定部１５は処理をＳ８６に進める。通信品質値の現在値が閾値未満の場合、ＯＮ／ＯＦＦ判定部１５は処理をＳ８４に進める（Ｓ８３）。通信品質監視部４は、閾値判定を行うと所定の期間以上コンテンツの伝送が阻止されると予測されるか判定する。閾値判定を行うと所定の期間以上コンテンツの伝送が阻止されると予測される場合、通信品質監視部４は処理をＳ８５に進める。そうでない場合、通信品質監視部４は処理をＳ８６に進める（Ｓ８４）。通信品質監視部４は、ＯＮ／ＯＦＦ判定部１５に対し、通信品質の現在値が閾値以上であることを示す閾値判定の結果を出力するよう指示をする（Ｓ８５）。送信部１６は、閾値判定の結果を通信制御装置に対して送信する（Ｓ８６）。
【００９６】
変形例２２の無線通信装置２２は、閾値判定を行うと所定の期間以上コンテンツの伝送が阻止されると予測される場合には、通信品質値の現在値が閾値以上であるとする閾値判定の結果を通信制御装置に送信する。通信品質値の現在値が閾値以上であれば、通信制御装置はコンテンツの伝送を阻止しない。その結果、変形例２２の無線通信装置２２は、コンテンツの伝送が始まらない事象を改善できる。
【００９７】
以上で開示した実施形態や変形例は、それぞれ組み合わせる事ができる。例えば、実施形態１の通信制御装置２１と変形例２２の無線通信装置２２を組み合わせる事もできる。また、例えば、変形例１６の無線通信装置２２に変形例１７の通信品質監視部４を加える事も可能である。
【００９８】
＜付記＞
本実施の形態は、以下の態様（付記と呼ぶ）を含む。各付記の構成は、他の付記の構成を組み合わせることができる。
【００９９】
（付記１）
無線通信装置が無線中継装置を介して他の装置と通信を行う無線通信システムにおける通信制御方法であって、
前記無線通信装置と前記無線中継装置との通信品質を示す通信品質値を測定し、
前記通信品質値の過去の傾向に基づき、前記通信品質の良否を判定するための閾値を決定し、
前記通信品質値の現在値が前記閾値未満である間は、前記無線通信装置と前記他の装置間のコンテンツの伝送を阻止する、
通信制御方法。
【０１００】
（付記２）
前記通信品質値の現在値が前記閾値未満である期間が所定の期間より長く継続した場合に、前記コンテンツの伝送を阻止する通信制御を中断する、
付記１に記載の通信制御方法。
【０１０１】
（付記３）
前記通信品質値の現在値が閾値未満であり、前記通信品質値が減少傾向である場合に、前記コンテンツの伝送を阻止する通信制御を中断する、
付記１又は付記２に記載の通信制御方法。
【０１０２】
（付記４）
無線通信装置が無線中継装置を介して他の装置と通信を行う無線通信システムにおいて使用される通信制御装置であって、
前記無線通信装置が測定した前記無線通信装置と前記無線中継装置との通信品質を示す通信品質値の過去の傾向に基づいて決定された閾値と前記通信品質値の現在値とを比較する閾値判定の結果を得る手段と、
前記閾値判定の結果において、前記通信品質値の現在値が前記閾値未満である間は、前記無線通信装置と前記他の装置間のコンテンツの伝送を阻止する手段と、
を有する通信制御装置。
【０１０３】
（付記５）
前記得る手段は、前記無線通信装置と前記無線中継装置との通信品質を示す通信品質値を入力として受け付け、前記通信品質値の過去の傾向に基づき、前記通信品質の良否を判定するための閾値を決定する閾値決定部と、
前記通信品質値の現在値と前記閾値とを入力として受け付け、前記通信品質値の現在値と前記閾値とを比較する閾値判定を行う閾値判定部と、
を含む付記４に記載の通信制御装置。
【０１０４】
（付記６）
前記得る手段は、前記無線通信装置から閾値判定の結果を受信する、
付記４に記載の通信制御装置。
【０１０５】
（付記７）
前記閾値判定の結果において、前記通信品質値の現在値が前記閾値未満である期間が所定の期間を超えた場合に、前記通信品質によらず、前記コンテンツの伝送を阻止する通信制御を中断するよう前記通信制御部に対して指示をするタイマー部を更に有する、
付記４から付記６のいずれか１項に記載の通信制御装置。
【０１０６】
（付記８）
前記通信品質値を監視し、前記監視の結果、前記通信品質値の現在値が閾値未満であり、前記通信品質値が減少傾向である場合に、前記コンテンツの伝送を阻止する通信制御を中断するよう前記通信制御部に対して指示をする通信品質監視部を更に有する、
付記４から７のいずれか１項に記載の通信制御装置。
【０１０７】
（付記９）
無線中継装置との通信における通信品質を示す通信品質値を測定する受信部と、
前記通信品質値の過去の傾向に基づき、前記通信品質の良否を判定するための閾値を決定する閾値決定部と、
前記通信品質値の現在値と前記閾値とを比較する閾値判定を行う閾値判定部と、
前記閾値判定の結果を入力として受け付け前記閾値判定の結果において前記通信品質値の現在値が前記閾値未満である間コンテンツの伝送を阻止する通信制御を行う通信制御装置に対し、前記閾値判定部による前記閾値判定の結果を送信する送信部と、
を有する無線通信装置。
【０１０８】
（付記１０）
前記閾値判定の結果において、前記通信品質値の現在値が前記閾値未満である期間が所定の期間を超えた場合に、前記通信品質によらず前記通信品質値の現在値が前記閾値以上であるとする閾値判定の結果を出力するように前記閾値判定部に対して指示をするタイマー部を更に有する、
付記９に記載の無線通信装置。
【０１０９】
（付記１１）
前記通信品質値を監視し、前記監視の結果、前記通信品質値の現在値が閾値未満であり、前記通信品質値が減少傾向である場合に、前記通信品質によらず前記通信品質値の現在値が前記閾値以上であるとする閾値判定の結果を出力するように前記閾値判定部に対して指示をする通信品質監視部を更に有する、
付記９又は付記１０に記載の無線通信装置。
【符号の説明】
【０１１０】
１・・・通信制御部
２・・・閾値決定部
３・・・タイマー部
４・・・通信品質監視部
５・・・閾値判定部
６・・・バッファ部
１１・・・ＯＮ／ＯＦＦ制御部
１５・・・ＯＮ／ＯＦＦ判定部
１６・・・送信部
１７・・・受信部
２１・・・通信制御装置
２２・・・無線通信装置
２３・・・無線中継装置
２４・・・サーバ
Ｎ１・・・コアネットワーク
Ｎ２・・・ネットワーク
【図１】
2015015654.tif 000004
【図２】
2015015654.tif 000005
【図３Ａ】
2015015654.tif 000006
【図３Ｂ】
2015015654.tif 000007
【図４】
2015015654.tif 000008
【図５】
2015015654.tif 000009
【図６】
2015015654.tif 000010
【図７】
2015015654.tif 000011
【図８】
2015015654.tif 000012
【図９】
2015015654.tif 000013
【図１０】
2015015654.tif 000014
【図１１】
2015015654.tif 000015
【図１２】
2015015654.tif 000016
【図１３Ａ】
2015015654.tif 000017
【図１３Ｂ】
2015015654.tif 000018
【図１４Ａ】
2015015654.tif 000019
【図１４Ｂ】
2015015654.tif 000020
【図１５Ａ】
2015015654.tif 000021
【図１５Ｂ】
2015015654.tif 000022
【図１５Ｃ】
2015015654.tif 000023
【図１５Ｄ】
2015015654.tif 000024
【図１６Ａ】
2015015654.tif 000025
【図１６Ｂ】
2015015654.tif 000026
【図１６Ｃ】
2015015654.tif 000027
【図１７】
2015015654.tif 000028
【図１８】
2015015654.tif 000029
【図１９】
2015015654.tif 000030
【図２０】
2015015654.tif 000031
【図２１】
2015015654.tif 000032
【図２２】
2015015654.tif 000033